(57)【要約】      （修正有）【課題】  紙幣収納装置内紙幣金庫のセキュリティーの向上を課題とする。【解決手段】  紙幣収納装置に、ＩＣカードを読み取るカードリーダ２ａと、当該ＩＣカードに対応する暗証情報を入力する入力手段２とを備える。また、ＩＣカードの識別情報とこれに対応する暗証情報とを関連付けて記憶したＩＣカード照会情報の記憶手段３を備える。  制御手段４は、カードリーダからＩＣカードの識別情報を読み取ると、入力手段からの暗証情報の入力を要求する。この入力手段から暗証情報の入力を受けると、読み取ったＩＣカードの識別情報と入力された暗証情報との対応関係が記憶手段のＩＣカード照会情報に登録されているかを判定する。この結果、登録されていた場合に、解錠システム１４の解錠を許可する。【選択図】図１
2007156818.tif 000002
【特許請求の範囲】
【請求項１】
任意の紙幣を装置内に取り込む紙幣取込手段と、この紙幣取込手段が取り込んだ紙幣をその種類に応じて選別する紙幣選別手段と、この紙幣選別手段が選別した紙幣を種類別に収納する紙幣収納部と、この紙幣収納部を施錠する紙幣金庫と、この紙幣金庫を解錠する解錠システムと、これら各要素の動作を制御する制御手段とを備えた紙幣収納装置において、
ＩＣカードを読み取るカードリーダと、当該ＩＣカードに対応する暗証情報を入力する入力手段と、前記ＩＣカードの識別情報とこれに対応する暗証情報とを関連付けて記憶したＩＣカード照会情報の記憶手段とを備え、
前記制御手段は、
前記カードリーダからＩＣカードの識別情報を読み取ると、前記入力手段からの暗証情報の入力を要求し、
この入力手段から暗証情報の入力を受けると、前記読み取ったＩＣカードの識別情報と前記入力された暗証情報との対応関係が前記記憶手段のＩＣカード照会情報に登録されているかを判定し、
登録されていた場合に、前記解錠システムの解錠を許可することを特徴とした紙幣収納装置。
【請求項２】
任意の紙幣を装置内に取り込む紙幣取込手段と、この紙幣取込手段が取り込んだ紙幣をその種類に応じて選別する紙幣選別手段と、この紙幣選別手段が選別した紙幣を種類別に収納する紙幣収納部と、この紙幣収納部を施錠する紙幣金庫と、この紙幣金庫を解錠する解錠システムと、これら各要素の動作を制御する制御手段とを備えた紙幣収納装置において、
ＩＣカードを読み取るカードリーダと、前記ＩＣカードの識別情報を記憶したＩＣカード照会情報の記憶手段とを備え、
前記制御手段は、
前記カードリーダからＩＣカードの識別情報を読み取ると、当該読み取ったＩＣカードの識別情報が前記記憶手段のＩＣカード照会情報に登録されているかを判定し、
登録されていた場合に、前記解錠システムの解錠を許可することを特徴とした紙幣収納装置。
【請求項３】
請求項１又は２記載の紙幣収納装置において、
前記ＩＣカード照会情報には、マスターカードの区分を登録しておき、
前記制御手段は、
前記判定によりＩＣカード照会情報に登録されていることを確認したカードがマスターカードであった場合に、前記ＩＣカード照会情報の編集を許可し、
次いで前記入力手段からＩＣカード照会情報の編集が要求されると、前記入力手段又は／及びカードリーダから入力されたＩＣカードの識別情報又は／及び暗証情報に基づいて前記ＩＣカード照会情報へのレコードの追加、変更又は削除を実行することを特徴とした紙幣収納装置。
【請求項４】
請求項１又は２記載の紙幣収納装置において、
外部のホストコンピュータと通信する通信インタフェースを備えると共に、
前記制御手段は、前記ＩＣカードの識別情報及び／又は暗証情報を取得したとき、それらの情報を前記通信インタフェースを介してホストコンピュータに送信することを特徴とした紙幣収納装置。
【請求項５】
請求項１又は２記載の紙幣収納装置において、
外部のホストコンピュータと通信する通信インタフェースを備えると共に、
前記制御手段は、前記紙幣金庫に収納された紙幣の金額及び／又は枚数を前記記憶手段に記録する機能と、前記解錠システムの解錠の許可の際に当該記録情報を前記記憶手段から読み出し前記通信インタフェースを介してホストコンピュータに送信することを特徴とした紙幣収納装置。
【発明の詳細な説明】
【技術分野】
【０００１】
本発明は、紙幣収納装置に係り、特に、パチンコホール等の遊技ホールに好適な紙幣収納装置に関する。
【背景技術】
【０００２】
遊技ホールにおいて、遊技島の端部に装備される紙幣収納装置がある。この紙幣収納装置は、遊技島に投入され当該遊技島の内部を搬送されてきた紙幣を回収し、紙幣の種類毎に選別して収納する。その後、所定のタイミングで店員が紙幣金庫を解錠し、紙幣収納装置の内部に収納された紙幣を回収していた。
【０００３】
しかし、この種の従来の紙幣収納装置において、紙幣金庫の施錠は、鍵を用いる機械式ロック方式となっている。このため、鍵をコピー等により入手されれば、誰でも金庫を解錠できてしまう、という不都合があった。
【０００４】
なお、出願人は、上記従来例に関する公知技術文献の存在を知らない。
【発明の開示】
【発明が解決しようとする課題】
【０００５】
本発明は、かかる従来例の有する不都合を改善し、特に、紙幣収納装置内紙幣金庫のセキュリティーの向上を課題とする。
【課題を解決するための手段】
【０００６】
上記課題を解決するため、本発明では、以下の構成を採っている。
【０００７】
本発明は、任意の紙幣を装置内に取り込む紙幣取込手段と、この紙幣取込手段が取り込んだ紙幣をその種類に応じて選別する紙幣選別手段とを備えている。また、この紙幣選別手段が選別した紙幣を種類別に収納する紙幣収納部と、この紙幣収納部を施錠する紙幣金庫とを有する。更に、この紙幣金庫を解錠する解錠システムと、これら各要素の動作を制御する制御手段とを備えている。これに加え、ＩＣカードを読み取るカードリーダと、当該ＩＣカードに対応する暗証情報を入力する入力手段とを有する。また、ＩＣカードの識別情報とこれに対応する暗証情報とを関連付けて記憶したＩＣカード照会情報の記憶手段を備えている。
【０００８】
そして、制御手段は、カードリーダからＩＣカードの識別情報を読み取ると、入力手段からの暗証情報の入力を要求する。この入力手段から暗証情報の入力を受けると、読み取ったＩＣカードの識別情報と入力された暗証情報との対応関係が記憶手段のＩＣカード照会情報に登録されているかを判定する。この結果、登録されていた場合に、解錠システムの解錠を許可する。
【０００９】
また、他の発明は、任意の紙幣を装置内に取り込む紙幣取込手段と、この紙幣取込手段が取り込んだ紙幣をその種類に応じて選別する紙幣選別手段とを備えている。また、この紙幣選別手段が選別した紙幣を種類別に収納する紙幣収納部と、この紙幣収納部を施錠する紙幣金庫とを有する。更に、この紙幣金庫を解錠する解錠システムと、これら各要素の動作を制御する制御手段とを備えている。これに加え、ＩＣカードを読み取るカードリーダと、ＩＣカードの識別情報を記憶したＩＣカード照会情報の記憶手段とを有する。
【００１０】
そして、制御手段は、カードリーダからＩＣカードの識別情報を読み取ると、当該読み取ったＩＣカードの識別情報が記憶手段のＩＣカード照会情報に登録されているかを判定し、登録されていた場合に、解錠システムの解錠を許可する。
【００１１】
更に他の発明は、上記発明において、ＩＣカード照会情報には、マスターカードの区分を登録しておく。
【００１２】
そして、制御手段は、判定によりＩＣカード照会情報に登録されていることを確認したカードがマスターカードであった場合に、ＩＣカード照会情報の編集を許可する。次いで入力手段からＩＣカード照会情報の編集が要求されると、入力手段又は／及びカードリーダから入力されたＩＣカードの識別情報又は／及び暗証情報に基づいてＩＣカード照会情報へのレコードの追加、変更又は削除を実行する。
【００１３】
更に他の発明は、上記発明において、外部のホストコンピュータと通信する通信インタフェースを備える。そして、制御手段は、ＩＣカードの識別情報及び／又は暗証情報を取得したとき、それらの情報を通信インタフェースを介してホストコンピュータに送信する。
【００１４】
更に他の発明は、上記発明において、外部のホストコンピュータと通信する通信インタフェースを備える。そして、制御手段は、紙幣金庫に収納された紙幣の金額及び／又は枚数を記憶手段に記録する機能を備え、解錠システムの解錠の許可の際に当該記録情報を記憶手段から読み出し通信インタフェースを介してホストコンピュータに送信する。
上記の各発明において、「ＩＣカード」は、カードリーダに接触した状態で情報の送受を行う方式のＩＣカードでもよいし、又はカードリーダに接触していない非接触の状態で情報の送受を行う方式のＩＣカードでもよい。また、「カードリーダ」は、ＩＣカードの当該方式に対応したものであればよい。
【発明の効果】
【００１５】
これによると、カード解析が非常に難しいＩＣカードを解錠に用いることにより、紙幣収納装置内紙幣金庫のセキュリティーを格段に向上することができる。
【発明を実施するための最良の形態】
【００１６】
以下、本発明の一実施形態を図面を参照しつつ説明する。
【００１７】
図１に示す紙幣収納装置は、遊技ホールの遊技島端部に設置されたものを想定している。この紙幣収納装置は、任意の紙幣を遊技島から装置内に取り込む紙幣取込手段１１と、この紙幣取込手段１１が取り込んだ紙幣をその種類に応じて選別する紙幣選別手段１２とを備えている。また、この紙幣選別手段１２が選別した紙幣を種類別に収納する紙幣収納部と、この紙幣収納部を施錠する紙幣金庫１３とを有する。更に、この紙幣金庫１３を解錠する解錠システム１４と、これら各要素の動作を制御する制御手段４とを備えている。
【００１８】
また、紙幣収納装置は、非接触ＩＣカード１を読み取る非接触カードリーダ２ａと、当該非接触ＩＣカード１に対応する暗証情報を入力する入力手段２とを有する。また、非接触ＩＣカード１の識別情報とこれに対応する暗証情報とを関連付けて記憶したＩＣカード照会情報の記憶手段３を備えている。
【００１９】
制御手段４は、非接触カードリーダ２ａから非接触ＩＣカード１の識別情報を読み取ると、入力手段２からの暗証情報の入力を要求する。この入力手段２から暗証情報の入力を受けると、読み取った非接触ＩＣカード１の識別情報と入力された暗証情報との対応関係が記憶手段３のＩＣカード照会情報に登録されているかを判定する。この結果、登録されていた場合に、解錠システム１４の解錠を許可するようになっている。また、符号５は、外部のホストコンピュータと通信する通信インタフェースを示し、符号１５は、制御手段４が所定の情報を表示するＬＣＤ表示器等の表示手段を示している。図１において、実線の矢印は紙幣の流れを示し、点線の矢印は信号・データの流れを示している。
【００２０】
これを更に詳述すると、本実施形態において、非接触ＩＣカード１には、カード毎に固有のカード識別情報が記録されており、この識別情報を無線で送信する機能を備えている。
【００２１】
入力手段２は、テンキー等を備え、暗証情報の入力を容易に行えるようになっている。この入力手段の概念には、非接触カードリーダー２ａも含まれる。当該非接触カードリーダー２ａは、非接触ＩＣカード１から無線で送信されたカード識別情報を受信し、制御手段４に受渡す機能を備えている。
【００２２】
記憶手段３には、ＩＣカード照会情報、紙幣収納装置関連情報およびホストコンピュータへのデータ転送ソフトウェアが格納されている。このうち、ＩＣカード照会情報は、図２に示すように構成されている。即ち、ＩＣカード毎に固有のＩＣカード識別情報と、各ＩＣカード識別情報に関連付けて登録された対応暗証情報と、特定のＩＣカードがマスターカードであることを表すマスター区分（図中＊印）とが関連付けて記憶されている。また、紙幣収納装置関連情報は、紙幣選別手段１２から通知される紙幣収納部への紙幣収納状況と、本装置へのＩＣカードのアクセス履歴とが少なくとも記録されている。
【００２３】
紙幣収納状況には、紙幣収納部に収納された紙幣の枚数及び金額が含まれる。紙幣収納部に収納される紙幣は、紙幣選別手段１２において、その紙幣の種類が判定され、逐次制御手段４に通知されるようになっている。制御手段４は、この紙幣選別手段１２からの通知に基づいて紙幣収納部に収納された紙幣の金額と枚数を記憶手段３に記録するようになっている。
【００２４】
また、ＩＣカードのアクセス履歴には、ＩＣカードが本装置にアクセスした日時と、そのＩＣカードの識別情報と、そのＩＣカードのアクセスの際に入力された暗証情報と、その暗証情報が認証されたか否かの情報とを関連付けて記録する。この記録は、制御手段４が行う。
【００２５】
また、データ転送ソフトウェアは、制御手段４により実行され、紙幣収納装置関連情報を所定のタイミングでホストコンピュータに送信するようになっている。前述した紙幣収納装置関連情報のうち、紙幣収納部に収納された紙幣の金額および枚数については、その情報を制御手段４が受信した時点、および、制御手段４が解錠システム１４を解錠した時点で、ホストコンピュータに送信するようになっている。また、ＩＣカードのアクセス履歴については、ＩＣカードのアクセスがある都度、その結果をリアルタイムにホストコンピュータに送信するようになっている。
【００２６】
また、紙幣を遊技島から取り込んで紙幣収納部に収納する機構は、以下のように構成されている。紙幣取込手段１１は、遊技島から紙幣を機構的に取込み、後段の紙幣選別手段１２に送り込む。
【００２７】
紙幣選別手段１２は、送り込まれた紙幣をセンシングし、認識した紙幣の種類に応じて紙幣収納部への経路を分けて送り込む。また、認識した紙幣の種類を制御手段４に通知し、制御手段４において収納紙幣を金種毎にカウントさせる。この結果が前述のとおり紙幣収納装置関連情報として記憶手段３に格納される。
【００２８】
紙幣収納部は、紙幣の種類毎に複数のスタッカに分離されており、紙幣選別手段１２から経路を分けて送り込まれた紙幣をその種類毎に異なるスタッカに収納蓄積する。
【００２９】
解錠システム１４は、本実施形態において、電磁式ソレノイド駆動式のロック機構を採用している。制御手段４が施錠又は解錠の制御信号を出力すると、電磁式ソレノイドに通電され、ロックピンの移動によって、施錠又は解錠が行われる機構となっている。
【００３０】
次に、上記構成に基づく動作を説明する。
【００３１】
（１）ＩＣカードによるアクセス
【００３２】
紙幣金庫の解錠担当者又はマスターカードの保有者がＩＣカード１を非接触カードリーダ２ａに近づけると、非接触カードリーダー２ａは、当該ＩＣカード１からカード識別情報を読み取って、制御手段４に通知する。この通知を受けた制御手段４は、表示手段１５に対して暗証情報の入力を促す表示をさせる。その後、入力手段２から暗証情報の入力を受けると、制御手段４は、当該ＩＣカード識別情報と暗証情報との組み合わせがＩＣカード照会情報に登録されているかチェックする。一致する組み合わせを発見した場合、制御手段４は、その組み合わせに関連付けられたマスター区分をチェックし、アクセスされたＩＣカードがマスターカードであるか否かを判定する。
【００３３】
（２）マスターカード
【００３４】
この判定の結果、マスターカードであった場合は、表示手段１５にマスターメニューを表示する。マスターメニューには、解錠要求と、照会情報編集要求とが含まれている。その後、入力手段２から解錠要求が選択された場合は、後述する（３）紙幣金庫の解錠の動作を実行する。一方、入力手段２から照会情報の編集要求が選択された場合、制御手段４は、表示手段１５に照会情報の編集メニューを表示する。この編集メニューには、照会情報の追加、変更、削除およびマスターカードの変更が含まれている。
【００３５】
（２−１）照会情報の追加
【００３６】
その後、入力手段２から照会情報の追加が要求されると、制御手段４は、新規登録するＩＣカードを非接触カードリーダー２ａに読ませるよう表示手段１５に促す。非接触カードリーダー２ａに新規登録ＩＣカードがアクセスすると、カードリーダー２ａは当該カードの識別情報を読み取って、制御手段４に通知する。制御手段４は、この通知を受け取ると、入力手段２から対応暗証情報を入力するように表示手段１５から促す。入力手段２から対応暗証情報が入力され登録確認がなされると、制御手段４は、新規登録するＩＣカードの識別情報と対応暗証情報とを関連付けて、ＩＣカード照会情報に登録する。これにより、新規登録のＩＣカードで紙幣金庫の解錠が可能となる。
【００３７】
（２−２）照会情報の変更
【００３８】
また、前述の編集メニューにおいて、入力手段２から照会情報の変更が要求されると、制御手段４は、記憶手段３からＩＣカード照会情報を読み出し、登録済みカードの識別情報の一覧を表示手段１５に表示する。そして、暗証情報を変更したいレコードを選択させる。入力手段２から変更対象のレコードの選択を受け付けると、制御手段４は、当該レコードに対応する新しい暗証情報の入力を表示手段１５に促す。入力手段２から新しい暗証情報の入力を受け付け登録確認がなされると、制御手段４は、ＩＣカード照会情報の対応するレコードに新しい暗証情報を更新する。これにより、新しい暗証情報を入力しなければ有効なアクセスを行うことができなくなる。
【００３９】
（２−３）照会情報の削除
【００４０】
また、前述の編集メニューにおいて、入力手段２から照会情報の削除が要求されると、制御手段４は、記憶手段３からＩＣカード照会情報を読み出し、登録済みカードの識別情報の一覧を表示手段１５に表示する。そして、登録を削除したいレコードを選択させる。入力手段２から削除対象のレコードの選択を受け付け実行確認がなされると、制御手段４は、ＩＣカード照会情報の該当するレコードを削除する。これにより、削除されたＩＣカードによっては紙幣金庫の解錠ができなくなる。
【００４１】
（２−４）マスターカードの変更
【００４２】
また、前述の編集メニューにおいて、入力手段２からマスターカードの変更が要求されると、制御手段４は、記憶手段３からＩＣカード照会情報を読み出し、登録済みカードの識別情報の一覧を表示手段１５に表示し、新たにマスターカードにしたいレコードを選択させる。この際、現にマスターカードとして登録されているレコードは一覧表示に含めないようにしてもよい。次いで、入力手段２からマスター候補のレコードが選択され実行確認がなされると、制御手段４は、ＩＣカード照会情報において現にマスター区分が登録されているレコードからマスター区分の登録を削除し、代わりに、今回選択されたレコードにマスター区分を登録する。これにより次回からマスターカードが変更される。
【００４３】
（３）紙幣金庫の解錠
【００４４】
（１）の判定の結果、マスターカードではなかった場合、制御手段４は、マスターメニューとは異なる通常メニューを表示手段１５に表示する。通常メニューからは紙幣金庫の解錠を要求することはできるが、ＩＣカード照会情報を編集することはできないようになっている。
【００４５】
マスターメニュー又は通常メニューから紙幣金庫１３の解錠が要求されると、制御手段４は、解錠システム１４に解錠制御信号を送り、電磁式ソレノイドを駆動して紙幣金庫１３を解錠させる。
【００４６】
（４）ホストコンピュータへの通知
【００４７】
制御手段４は、ＩＣカード１が非接触カードリーダー２ａにアクセスしたとき、そのカードの対応暗証情報が認証できた場合もできなかった場合も、そのＩＣカードのアクセス履歴を通信インタフェース５を介してホストコンピュータに通知する。ＩＣカードのアクセス履歴には、前述したように、ＩＣカードが本装置にアクセスした日時と、そのＩＣカードの識別情報と、そのＩＣカードのアクセスの際に入力された暗証情報と、その暗証情報が認証されたか否かの情報とが含まれる。これにより、ホストコンピュータ側においてＩＣカード利用の不正を速やかに知ることが可能となる。
【００４８】
また、制御手段４は、解錠システム１４を解錠させるとき、記憶手段３の紙幣収納装置関連情報からそれまでに紙幣収納部に収納されている紙幣の金額と枚数を読み出し、通信インタフェース５を介してホストコンピュータに通知する。これにより、紙幣の金額、枚数のデータと、紙幣収納部から回収した実際の現金との不一致等を速やかに知ることが可能となる。
【００４９】
以上説明した本実施形態によれば、カード解析が非常に難しい非接触ＩＣカードを採用し、カード別の暗証情報を登録することで、金庫を解錠できる担当者を限定し、本人認証により本人以外に金庫の解錠ができなくなり、紙幣金庫のセキュリティーを格段に向上することができる。
【００５０】
また、特定のマスターカードを用いることにより、ＩＣカードの登録、変更、削除を任意に行うことができるので、遊技ホール店舗毎の個別管理、個別運用を容易に実現することができる。
【００５１】
ここで、本発明の範囲は、上記の実施形態に限られるものではなく、例えば、ＩＣカードの識別情報による認証だけとし、暗証情報による認証を省いてもよい。また、ＩＣカード照会情報の各レコードに保有者の氏名等を関連付けることにより、照会情報の変更・削除等におけるカードの識別を容易に行えるようにしてもよい。
【図面の簡単な説明】
【００５２】
【図１】本発明の一実施形態を示すブロック構成図。
【図２】図１に示すＩＣカード照会情報の構造図。
【符号の説明】
【００５３】
１  非接触ＩＣカード
２  入力手段
２ａ  非接触カードリーダー
３  記憶手段
４  制御手段
５  通信インタフェース
１１  紙幣取込手段
１２  紙幣選別手段
１３  紙幣金庫
１４  解錠システム
【図１】
2007156818.tif 000003
【図２】
2007156818.tif 000004